(57)【要約】【課題】  異なる複数の熱交換機を１つのシステムとしてまとめた新規な空水冷ハイブリッド方式の空調システムを提供する。【解決手段】  本発明の空水冷ハイブリッド空調システムは、施設１００に設置された空調機器２００と、空調機器２００に接続された流路内を流れる熱交換媒体との間で空気及び冷却水をそれぞれ用いて熱交換する空冷式熱交換機５及び水冷式熱交換機２０を備え、これら空冷式熱交換機と水冷式熱交換機とを切換えて使用可能な熱交換装置３００と、水冷式熱交換機に対して冷却水を供給する冷却水供給系４００と、施設１００内の少なくとも温度情報と湿度情報に応じて熱交換装置３００の運転状態を制御手段５０で制御して施設内の温度と湿度の調整を行う。【選択図】      図１
2006064353.tif 000002
【特許請求の範囲】
【請求項１】
施設に設置された空調機器と、
この空調機器に接続された流路内を流れる熱交換媒体との間で空気及び冷却水をそれぞれ用いて熱交換する空冷式熱交換機及び水冷式熱交換機を備え、前記空冷式熱交換機と前記水冷式熱交換機とを切換えて使用可能な熱交換装置と、
前記水冷式熱交換機に対して前記冷却水を供給する冷却水供給系と、
前記空調機器が設置された施設内の少なくとも温度情報と湿度情報に応じて、前記熱交換装置の運転状態を制御して、前記施設内の温度と湿度の調整を行う制御手段とを有することを特徴とする空水冷ハイブリッド空調システム。
【請求項２】
施設に設置された空調機器と、
この空調機器に接続された流路内を流れる熱交換媒体との間で空気及び冷却水をそれぞれ用いて熱交換する空冷式熱交換機及び水冷式熱交換機を備え、前記空冷式熱交換機と前記水冷式熱交換機とを切換えて使用可能な熱交換装置と、
前記水冷式熱交換機に対して前記冷却水を供給する冷却水供給系と、
前記施設の遠隔地に設置された遠隔端末装置と、
前記空調機器の設定温度又は設定湿度を、前記遠隔端末装置から送信された設定指令で指定されている温度または湿度に設定すべく、前記熱交換装置の運転状態を制御する制御手段とを有することを特徴とする空水冷ハイブリッド空調システム。
【請求項３】
請求項１または２記載の空水冷ハイブリッド空調システムにおいて、
前記冷却水供給系は、前記水冷式熱交換機と接続されて前記冷却水が供給される冷却水経路と、前記冷却水経路と接続されて地中内に埋設され該地中との間で熱交換する地中熱交換機と、前記冷却水経路に設けられ、前記水冷式熱交換機と地中熱交換機との間で冷却水を循環させる循環手段とを有することを特徴とする空水冷ハイブリッド空調システム。
【発明の詳細な説明】
【技術分野】
【０００１】  本発明は、熱交換媒体を空気で熱交換する空冷式熱交換機と水熱源で熱交換する水冷式熱交換機の双方を有するヒートポンプを用いた空調システムに関する。
【背景技術】
【０００２】  空冷式の熱交換機となるヒートポンプを有する空調装置では、一般に直接膨張方式（以下、直膨方式）を用いて冷却及び加熱を行っている。以下、冷却サイクルを用いて冷却システムについて説明すると、直膨方式は室内に設置された蒸発器に熱交換媒体を送り、コイルの中で膨張気化させてコイルを冷却し、通過する空気と熱交換をし、その空気より吸熱を行っている。本空調装置は、室外に設置された凝縮器で空気と直接熱交換を行う構造であるため、構造が簡単である反面、放熱する空気温度（外気温度）によってその性能が大きく変化する特性となっている。
空冷式に比べて熱交換率が良いことで、水冷式の熱交換機としてのヒートポンプが種々提案されている。ここで空冷式と水冷式のヒートポンプの差を説明すると、水冷式のヒートポンプは、熱交換媒体を水熱源である地下水、クーリングタワー内の水等の冷却水に放熱するので、空冷式に比べて熱交換性能が安定する特性がある。また、冷却水として水または不凍液を循環させる流路を地中に埋設して熱交換させる場合、ヒートポンプの原理的な問題から冷却水の温度がある一定温度を越えると、冷却水と熱交換媒体との間での熱交換の効率が低減してしまう。
【発明の開示】
【発明が解決しようとする課題】
【０００３】  従来、空冷式、水冷式、地中熱を用いたヒートポンプは個別には存在していたが、これらを１つの空調システムとして有効に利用することは未だ確立されておらず、研究の余地が多数残されている。
本発明は、これら形式の異なる複数の熱交換機を１つのシステムとしてまとめた、新規な空水冷ハイブリッド方式の空調システムを提供することを、その目的とする。
【課題を解決するための手段】
【０００４】  上記目的を達成するため、請求項１に記載の空水冷ハイブリッド空調システムでは、施設に設置された空調機器と、この空調機器に接続された流路内を流れる熱交換媒体との間で空気及び冷却水をそれぞれ用いて熱交換する空冷式熱交換機及び水冷式熱交換機を備え、空冷式熱交換機と水冷式熱交換機とを切換えて使用可能な熱交換装置と、水冷式熱交換機に対して冷却水を供給する冷却水供給系と、空調機器が設置された施設内の少なくとも温度情報と湿度情報に応じて熱交換装置の運転状態を制御して空間内の温度と湿度の調整を行う制御手段とを有することを特徴としている。【０００５】  請求項２に記載の空水冷ハイブリッド空調システムでは、施設に設置された空調機器と、この空調機器に接続された流路内を流れる熱交換媒体との間で空気及び冷却水をそれぞれ用いて熱交換する空冷式熱交換機及び水冷式熱交換機を備え、空冷式熱交換機と水冷式熱交換機とを切換えて使用可能な熱交換装置と、水冷式熱交換機に対して冷却水を供給する冷却水供給系と、施設の遠隔地に設置された遠隔端末装置と、空調機器への設定温度又は設定湿度を、遠隔端末装置から送信された設定指令に指定されている温度又は湿度に設定すべく熱交換装置の運転状態を制御する制御手段とを有することを特徴としている。【０００６】  請求項１または２記載の空水冷ハイブリッド空調システムにおいて、冷却水供給系としては、水冷式熱交換機と接続されて冷却水が供給される冷却水経路と、冷却水経路と接続されて地中内に埋設され該地中との間で熱交換する地中熱交換機と、冷却水経路に設けられ、水冷式熱交換機と地中熱交換機との間で冷却水を循環させる循環手段とを有することを特徴としている。
請求項１または２に記載の空水冷ハイブリッド空調システムにおいて、冷却水供給系としては、水冷式熱交換機と接続されて冷却水が供給される冷却水経路と、冷却水経路に水冷式を供給する供給手段とを有する構成であっても良い。
【発明の効果】
【０００７】  本発明によれば、空調機器が設置された施設内の少なくとも温度情報と湿度情報に応じて、熱交換装置が備えている、空調機器と接続された流路内を流れる熱交換媒体との間で空気及び冷却水をそれぞれ用いて熱交換する空冷式熱交換機と水冷式熱交換機とを切換えて使用するので、施設内の温度と湿度の調整を空冷式と水冷式を備えたハイブリッド熱交換装置で行うことができる。
本発明によれば、施設に設置された空調機器への設定温度又は設定湿度を、遠隔端末装置から送信された温度設定指令に指定されている温度に設定すべく、空調機器に接続された流路内を流れる熱交換媒体との間で空気及び冷却水をそれぞれ用いて熱交換する空冷式熱交換機及び水冷式熱交換機を備えた熱交換装置の運転状態を制御するので、施設内の温度や湿度を、空冷式と水冷式を備えたハイブリッド熱交換装置で遠隔装置により調整することができる。
本発明によれば、冷却水供給系が、水冷式熱交換機と接続されて冷却水が供給される冷却水経路と、冷却水経路と接続されて地中内に埋設され該地中との間で熱交換する地中熱交換機と、冷却水経路に設けられ、水冷式熱交換機と地中熱交換機との間で冷却水を循環させる循環手段とを有するので、水冷式熱交換機で熱交換媒体と熱交換された冷却水は冷却経路内を循環して地中熱交換機を通過する際に地中との間で熱交換される。このため、水冷式熱交換機で熱交換された冷却水の熱交換場所が地中内となるので、空冷式熱交換機のような大気中に熱を放出することがなく、ヒートアイランド現象を抑制することにつながる。
【発明を実施するための最良の形態】
【０００８】  以下、本発明の実施の形態について図を用いて説明する。図１において、空水冷ハイブリッド空調システムは、施設１００の室内１０１に設置された空調機器としてのファンコイルユニット２００と、ファンコイルユニット２００に接続された熱交換装置３００と、施設１００の遠隔地に設置された遠隔端末装置７００とを備えている。遠隔端末装置７００は周知のコンピュータで構成されていて、ファンコイルユニット２００の温度や湿度を調整するための設定指令を送信する機能と通信機能を備えている。遠隔端末装置７００はインターネットあるいは電話回線などの周知の通信網６００にケーブル６０２で通信可能に接続されている。【０００９】  熱交換装置３００は図２に示すように、そのケーシング３０１の内部には、制御手段５０を備えている。この制御手段５０には、通信部４２が設けられていて、通信網６００にケーブル６０１で通信可能に接続されている。ケーシング３０１の内部には、後述する空冷式熱交換機５と水冷式熱交換機２０とを備えたハイブリッドタイプのヒートポンプである。熱交換装置３００には、水冷式熱交換機２０に対して冷却水を供給する冷却水供給系４００が接続されている。
冷却水供給系４００の概略を説明すると、冷却水供給系４００は、水冷式熱交換機２０と接続されて冷却水が供給される冷却水経路３０と、冷却水経路と接続されて地中５００内に埋設され地中との間で熱交換する地中熱交換機４１０と、水冷式熱交換機２０と地中熱交換機４１０との間で冷却水を循環させる循環手段としての循環ポンプ３８とを備えている。地中熱交換機４１０は、地中５００に設けられた中空の熱交換井４０２と、熱鋼管井４０２の内部に挿入された、先端Ｕ字上の熱交換パイプ４０１とで構成されている。本形態では冷却水として不凍液を用いている。【００１０】  次に、図２を用いて各部の構成を詳細に説明する。熱交換装置３００のケーシング３０１の内部には、２電磁式の四方弁２、膨張弁３、四方弁２と膨張弁３とを結ぶ流路４上に配置された空冷式熱交換機５、四方弁２と圧縮機６とを結ぶ低圧の流路７上にアキュムレータ８と低圧開閉弁９、四方弁２と膨張弁３の流路４を閉鎖して室外機１とファンコイルユニット２００を切り離し可能とする停止弁１０Ａ，１０Ｂ、水冷式熱交換機２０、水冷式熱交換機２０に冷却水を循環させる冷却水流路３０がそれぞれ設けられている。空冷式熱交換機５と対向する部位には、駆動モータ１９によって回転駆動される冷却用のファン１８が設けられている。圧縮機６と四方弁２とを結ぶ高圧の流路１２には、周知の消音器１３と圧力開閉弁１４が設けられている。これら各構成要素は、ファンコイルユニット２００と流路４内を循環する熱交換媒体の熱交換を行い、冷却と加熱を行う空冷式熱交換機と冷凍サイクルの構成要素である。熱交換媒体は、最適な性能を得られる量が流路４内に充填されている。熱交換媒体としては、ＣＦＣ系のＲ−１２、ＨＣＦＣ系のＲ−２２，Ｒ−１２３、ＨＦＣ系のＲ−１３４ａ，Ｒ−４０７（ＨＦＣ−３２、１２５ｄ、１３４ａ混合），Ｒ４１０Ａ（ＨＦＣ−３２、１２５混合）等の科学冷媒が用いられている。【００１１】  ファンコイルユニット２００は、停止弁１０Ａ，１０Ｂを介して流路４と接続する熱交換機４７と、内機駆動モータ４４によって回転することで空気流を発生させるファン４３と、加湿器駆動手段４６によって駆動されることでファンコイルユニット２００の設置場所の空間内を加湿する加湿手段４５と、室内温度を検知する温度検知手段としての温度検知センサ４０と室内湿度を検出する湿度検知手段としての室内湿度センサ４１とを備えている。【００１２】  水冷式熱交換機２０は、空冷式熱交換機５を迂回するように流路４に接続された流路４Ａに配設されている。流路４Ａは、流路４内を流れる熱交換媒体を水冷式熱交換機２０へ案内する第２の流路を構成する。水冷式熱交換機２０に対して迂回流路となる流路４Ｂには空冷式熱交換機５が配設されていて第１の流路を構成している。水冷式熱交換機２０の上流側と下流側に位置する流路４Ａには電磁弁２２，２３が、水冷式熱交換機２０の上流側と下流側に位置する流路４Ｂには電磁弁２４，２５がそれぞれ配設されている。これら電磁弁は、オフ状態では各流路を閉じて水冷式熱交換機２０と空冷式熱交換機５への熱交換媒体の流入をそれぞれ停止し、オン状態となると各流路を開いて各熱交換機に対して熱交換媒体をそれぞれ流入するように構成されている。【００１３】  水冷式熱交換機２０は、複数のプレートが並べられて内部通路が形成されたプレート式熱交換機であって、冷却水をその内部に導入する流入口２０Ａ、内部の通過して熱交換された冷却水を排出する排出口２０Ｂとを備えている。流入口２０Ａには冷却水流路３０を構成する給水流路３４の一端３４Ａが接続され、排出口２０Ｂには冷却水流路３０を構成する排水流路３７の一端３７Ａがそれぞれ連結されている。給水流路３４の他端３４Ｂと排水流路３７の他端３７Ｂには、連結ジョイント４０３，４０４が設けられている。この連結ジョイント４０３，４０４には、熱交換パイプ４０１の両端がそれぞれ接続されている。循環ポンプ３８は、連結ジョイント４０３と熱交換パイプ４０１の間に配設されていて、冷却水を給水流路３４から水冷式熱交換２０へと供給している。供給された冷却水は水冷式熱交換機２０内に導入されて排水流路３７から排出され、再び熱交換パイプ４０１へと戻される。すなわち、冷却水流路３０は、水冷式熱交換機２０に冷却水を流通する流路であり、水冷式熱交換機２０は流通する冷却水によって、ファンコイルユニット２００との間で循環する熱交換媒体を冷却あるいは加熱するように構成されている。【００１４】  給水流路３４には、水冷式熱交換機２０への冷却水の流量を検知する流量検知手段としての流量検知センサ３２と、水冷式熱交換機２０へ向かう冷却水流路３０内の冷却水の圧力を検知する水圧検知手段としての水圧検知センサ３３と、給水流路３４を開閉する開閉手段としての電磁弁３１とが設けられている。水圧検知センサ３３は給水口３３の近傍に配置され、流量検知センサ３２は電子弁３１と水圧検知センサ３３の間の冷却水流路３０にそれぞれ配置されている。
排水流路３７には、水冷式熱交換機２０で熱交換された冷却水の排出温度を検知する排水温度検知手段としての排水温度センサ３５と、水冷式熱交換機２０から排出された冷却水の圧力を検知する水圧検知手段としての水圧検知センサ３６とが設けられている。排出温度センサ３５は排出口２０Ｂの近傍に配置され、流量検知センサ３６は排出温度センサよりも下流側の排水流路３７にそれぞれ配置されている。電磁弁３１と循環ポンプ３８の間にはリリース弁４０５が設けられている。このリリース弁４０５は、例えば、電磁弁３１が閉じている際に循環ポンプ３８が駆動して管内圧が一定以上になった際に開弁するとともに、ポンプの吸入側に位置する熱交換パイプ４０１とリリース路４０６を介して接続されている。これにより冷却水は、管内圧が一定以上になってリリース弁４０５が開くとポンプ上流側に戻れる。【００１５】  アキュムレータ８の一次側に位置する流路７と水冷式熱交換機２０とは、第３の流路２６で接続されて連通している。この第３の流路２６は、電磁弁２２，２３がオフ、かつ電磁弁２４，２５がオンの時に、水冷式熱交換機２０内にある熱交換媒体をアキュムレータ８に導入するための媒体回収通路を構成する。アキュムレータ８の一次側に位置する流路７と空冷式熱交換機５とは、第４の流路２７で接続されて連通している。この第４の流路２７は、電磁弁２２，２３がオン、かつ電磁弁２４，２５がオフの時に、空冷式熱交換機５内にある熱交換媒体をアキュムレータ８に導入するための媒体回収通路を構成する。これら第３及び第４の流路２６，２７には、同流路をそれぞれ開閉可能とする開閉手段としての電磁式の開閉弁２８，２９が設けられている。すなわち、電磁弁２２，３３及び電磁弁２４，２５は、そのオン／オン状態に応じて流路４Ａと流路４Ｂとを切換る切換手段を構成している。【００１６】  水冷式熱交換機２０と開閉弁２８の間の経路２６と、空冷式熱交換機５と開閉弁２９の間の経路２７には、周知のアクセルバルブ２６１，２７１が設けられている。これらアクセスバルブ２６１，２７１は、密閉回路として構成されている流路４に対して熱交換媒体を注入する際や、注入した熱交換媒体を流路４から抜く際に用いる一方向圧力弁であって、その開閉部に対して外部から所定の圧を加えないと開放しないように構成されている。符号３９は水冷式熱交換機２０の表面温度を温度検知手段としての表面温度センサを示す。【００１７】  駆動モータ１９、電磁弁２２，２３，２４，２５、開閉弁２８，２９、電磁弁３１、循環ポンプ３８、内機駆動モータ４４及び加湿器駆動部４６のオン／オフ制御は、図３に示す制御手段５０で制御されるようになっている。制御手段５０は、図示を省略したが、ＣＰＵ（中央処理装置）、Ｉ／Ｏ（入出力）ポート、ＲＯＭ（読み出し専用記憶装置）、ＲＡＭ（読み書き可能な記憶装置）およびタイマー等をそれぞれ備え、これらが信号バスによって接続された構成を有する周知のコンピュータで構成されている。制御手段５０の入力側には、水圧検知センサ３２，給水温度センサ３３、吐出温度センサ３５、流量検知センサ３６、表面温度検知センサ３９、室内温度センサ４０、室内湿度センサ４１、通信部４２及び装置の操作部６０が信号線によって接続されている。【００１８】  操作部６０は、図１２に示すように、冷房モードを選択する際に操作する冷房スイッチ６１と、暖房モードを選択する際に操作する暖房スイッチ６２と、除湿モードを選択する際に操作する除湿スイッチ６３と、遠隔モードを選択する際に操作する遠隔スイッチ６４と、電源をオン／オフする電源スイッチ６５とが設けられている。【００１９】  図３に示す制御手段５０の出力側には、四方弁２、電磁弁２２〜２５、開閉弁２８，２９、電磁弁３１等の弁類と、圧縮機６、駆動モータ１９、循環ポンプ３８、内機駆動モータ４４及び加湿器駆動部４６のアクチュエータ系とが電気的に接続されている。制御手段５０のＲＯＭには、電磁弁２２，２３と開閉弁２９及び電磁弁２４，２５と開閉弁２８、駆動モータ１９をオン／オフするためのパラメーターとなる各種温度情報、所定圧、所定流量及び冷房モード、暖房モード、遠隔モードが予め記憶されている。各種温度情報としては、給水温度センサ３３と吐出温度センサ３５の冷房モード時の第１の上限温度（「ＷＴ１＋ｍａｘ１、ＷＴ２＋ｍａｘ１、第１の下限温度（ＷＴ１−ｍａｘ１、ＷＴ２−ｍａｘ１）」、給水温度センサ３３と吐出温度センサ３５の暖房モード時の第２の上限温度（ＷＴ１＋ｍａｘ２、ＷＴ２＋ｍａｘ２）、第２の下限温度（ＷＴ１−ｍａｘ２、ＷＴ２−ｍａｘ２）と、所定表面温度が設定されている。第１の上限温度（ＷＴ１＋ｍａｘ１、ＷＴ２＋ｍａｘ１）はＷＴ１＋ｍａｘ１＜ＷＴ２＋ｍａｘ１、第１の下限温度（ＷＴ１−ｍａｘ１、ＷＴ２−ｍａｘ１）はＷＴ１−ｍａｘ１＜ＷＴ２−ｍａｘ１の関係にある。第２の上限温度（ＷＴ１＋ｍａｘ２、ＷＴ２＋ｍａｘ２）はＷＴ１＋ｍａｘ２＞ＷＴ２＋ｍａｘ２、第２の下限温度（ＷＴ１−ｍａｘ２、ＷＴ２−ｍａｘ２）はＷＴ１−ｍａｘ２＜ＷＴ２−ｍａｘ２の関係にある。また、第１の上限温度（ＷＴ１＋ｍａｘ１、ＷＴ２＋ｍａｘ１）は第１の下限温度（ＷＴ１−ｍａｘ１、ＷＴ２−ｍａｘ１）よりも高温域の温度帯とされ、第２の上限温度（ＷＴ１＋ｍａｘ２、ＷＴ２＋ｍａｘ２）は第２の下限温度（ＷＴ１−ｍａｘ２、ＷＴ２−ｍａｘ２）よりも高温域側の温度帯とされている。【００２０】  制御手段５０は、図４に示す基本動作処理と、冷房スイッチ６１が操作されたときに始動する図５に示す冷房運転処理と、暖房スイッチ６２が操作されたときに始動する図６に示す暖房運転処理と、遠隔スイッチ６４が操作されたときに始動する図７，図８に示す遠隔運転処理とをそれぞれ実行するルーチンが設定されている。なお、本形態において、四方弁２は、通常オフとされていて、この状態の時には熱交換媒体を図１において実線で示す方向に移動にさせるように経路４を繋ぎ、オン状態となると、熱交換媒体を図１において破線で示す方向に移動にさせるように経路４を繋ぐ用に切り替わる。四方弁２は、冷却モード、除湿モード、の時にはオフ状態とされ、暖房モードの時にはオンされる用に制御される。【００２１】  以下、制御装置５０による制御動作について説明する。図４において、基本動作処理は、ステップＡ１において、電源スイッチ６４が操作されて電源がオンとなると、ステップＡ２おいて運転モードが判別され���。本形態では、ステップＡ２において運転モードが冷房の場合にはステップＡ３に進んで冷房運転処理が行われ、ステップＡ２において運転モードが冷房でない場合にはステップＡ４に進む。ステップＡ４において運転モードが暖房の場合にはステップＡ５に進んで暖房運転処理が行われ、ステップＡ４において運転モードが暖房でない場合にはステップＡ６に進む。ステップＡ６において運転モードが除湿の場合にはステップＡ７に進んで除湿運転処理が行われ、ステップＡ６において運転モードが除湿でない場合にはステップＡ８に進む。ステップＡ８において運転モードが遠隔の場合にはステップＡ９に進んで遠隔運転処理が行われる。そして、各運転処理が実行されていても、電源スイッチ６４が操作されて電源オンとなると装置を停止させる。除湿運転は、冷房の一形態である。このため、除湿運転処理は冷房運転処理と同一な処理内容となるので、除湿時の処理動作は省力するものとする。【００２２】  ステップＡ２において、冷房運転が選択されると、図５の冷房運転処理が開始される。この処理では、ステップＢ１において運転モードの変換がないかが判断される。ここでは、操作部６０の冷房モードが他の運転モードに変更されたか否かが判断され、冷房モードの場合には、ステップＢ２に進む。ステップＢ１において運転モードが冷房以外に変更されている場合には、この冷房運転処理を継続しないで、図４のステップＡ２にリターンして再度運転モードの確認が実行される。【００２３】  ステップＢ２では、冷却水を循環させるために、循環ポンプ３８と電磁弁３１をオンして水冷式熱交換機２０と地中熱交換機４１０との間で冷却水を循環させてステップＢ３に進む。この循環ポンプ３８の始動と電磁弁３１の開弁動作によって冷却水経路３０及び水冷式熱交換機２０、地中熱交換機４１０内の冷却水が流れる。ステップＢ３では、給水温度センサ３３と吐出温度センサ３３で検知した水温ＷＴ１、ＷＴ２と表面温度センサ３８で検知した表面温度Ｔ、水圧検知センサ３２及び流量検知センサ３６から水圧ＷＰ及び流量ＷＲの各情報の読込みが行なわれてステップＢ４に進む。ステップＢ４では水圧検知センサ３２からの水圧情報ＷＰと所定圧Ｐとが比較され、水圧情報ＷＰが所定圧Ｐに大きい場合には循環ポンプ３８により熱交換に必要十分な冷却水が供給されているものとしてステップＢ５に進む。ステップＢ５では、流量検知センサ３６からの流量情報ＷＲと所定流量Ｒとが比較され、流量情報ＷＲが所定流量Ｒを越えている場合には、冷却水経路３０や水冷式熱交換機２０や地中熱交換機４１０の破損やスケール付着による流量低減がなく、熱交換に必要な流量が水冷式熱交換機２０に供給されているものとしてステップＢ６に進む。ステップＢ６では、表面温度センサ３９からの表面温度情報Ｔと所定温度Ｔ１とが比較され、表面温度情報Ｔが所定温度Ｔ１よりも低い場合には、水冷式熱交換機２０や地中熱交換機４１０内の詰まりや故障等の異常がないものとしてステップＢ７に水冷式熱交換機２０を用いた冷却を行う水冷システムを動作させる。【００２４】  ステップＢ７の水冷システム動作について、図９のフローチャートを用いて説明する。水冷システム動作では、ファンコイルユ���ット２００の内機駆動モータ４４がオンされるとともに、熱交換装置３００の電磁弁２２，２３、開閉弁２９、圧縮機５がオン状態とされ、電磁弁２４，２５、開閉弁２８及び駆動モータ１９がオフ状態とされる。このため、冷房運転する場合には、熱交換媒体は、ファンコイルユニット２００の熱交換機４７から四方弁２を介して図１において実線示す矢印方向に移動する。この時、電磁弁２２，２３はオンされて第２の経路４Ａが開放されているので、熱交換媒体は水冷式熱交換機２０へ導入される。また、開閉弁２８はオフ状態、開閉弁２９はオン状態とされるので、第４の経路２７が開放されて使用しない空冷式熱交換機５内の存在する熱交換媒体が、アキュムレータ８の負圧によりアキュムレータ８に回収される。このため、流路４内を循環する熱交換媒体の量が、封入時の量とほぼ同一の量とされて水冷式熱交換機２０へ導入される。導入された熱交換媒体は、水冷式熱交換機２０内の冷却水と間で熱交換されて冷却され、膨張弁３を介してファンコイルユニット２００の熱交換機４７へと戻される。これによりファンコイルユニット２００からは、回転しているファン４３により冷風が室内１０１に吹き出されて、これにより室内温度が低下する。水冷式熱交換機２０での熱交換時には、駆動モータ１９が停止状態となるので、省エネと、ファン１８の回転に伴い発生する風切り音などの騒音を低減することができる。【００２５】  一方、ステップＢ４において水圧情報ＷＰが所定圧Ｐに満たない場合には、冷却水経路３０または循環ポンプ３８に異常があり、水冷式熱交換機２０に対して十分な冷却水が供給されていないものと判断してステップＢ１０に進み、電磁弁３１をオフして冷却水経路３０を閉じて水冷式熱交換機２０への冷却水の供給を一旦絶ち、ステップＢ１１に進んで空冷式熱交換機５を用いた冷却を行う空冷システムを動作させる。
ステップＢ５において、流量情報ＷＲが所定流量Ｒに満たない場合には、水冷式熱交換機２０内のスケール付着で十分な流量の冷却水が水冷式熱交換機２０内で流れていないものとしてステップＢ１０に進む。そして、電磁弁３１をオフして冷却水経路３０を閉じて水冷式熱交換機２０への冷却水の供給を一旦絶ち、ステップＢ１１に進んで空冷式熱交換機５を用いた冷却を行う空冷システムを動作させる。
ステップＢ６において表面温度情報Ｔが所定温度Ｔ１よりも高い場合には、水冷式熱交換機２０内の詰まりや地中熱交換機４１０による熱交換交換の低下により冷却水温度に異常が発生していると判断してステップＢ１０に進む。そして、電磁弁３１をオフして冷却水経路３０を閉じて水冷式熱交換機２０への冷却水の供給を一旦絶ち、ステップＵ１１に進んで空冷式熱交換機５を用いた冷却を行う空冷システムを動作させる。このように、ステップＢ４からステップＢ６は、水冷式熱交換機２０や地中熱交換機４１０や冷却水供給系に対する異常判定部を構成している。【００２６】  ステップＢ１１の空冷システム動作について、図１０のフローチャートを用いて説明する。空冷システム動作では、ファンコイルユニット２００の内機駆動モータ４４がオンされるとともに、熱交換装置３００の圧縮機６、電磁弁２４，２５、開閉弁２８、駆動モータ１９がオン状態とされ、電磁弁２２，２３と開閉弁２９がオフ状態となる。このため、流路４Ａは閉じ、第１の流路４Ｂが開放されて経路切換えが行われるとともに第３の経路２６が開放されて使用しない水冷式熱交換機２０内の存在する熱交換媒体がアキュムレータ８の負圧によりアキュムレータ８に回収されるとともにファン１８が回転する。このため、圧縮機６、四方弁２を通過した熱交換媒体は、全て空冷式熱交換機５へ案内され、ファン１８の回転に発生する気流により空気と間で熱交換されて冷却され、膨張弁３を介してファンコイルユニット２００の熱交換機４７へと戻される。これによりファンコイルユニット２００からは、回転しているファン４３により冷風が室内１０１に吹き出されて、これにより室内温度が低下する。【００２７】  ステップＢ７において水冷システムが動作されるとステップＢ８に進み、給水温度センサ３３からの給水温度情報ＷＴ１と第１の上限温度ＷＴ１＋ｍａｘ１とが比較される。そして、給水温度情報ＷＴ１が上限温度ＷＴ１＋ｍａｘ１を超えていない場合には、現在の冷却水の温度でも十分に熱交換が可能であるとしてステップＢ７に戻り、水冷システムによる動作が継続されて、水冷式熱交換機２０と地中熱交換機４１０による熱交換が継続される。給水温度情報ＷＴ１が上限温度ＷＴ１＋ｍａｘ１を超える場合にはステップＢ９に進み、吐出温度センサ３５からの吐出温度情報ＷＴ２と第１の上限温度ＷＴ２＋ｍａｘ１とが比較される。そして、吐出温度情報ＷＴ２が上限温度ＷＴ２＋ｍａｘ１を超えていない場合には、現在の冷却水の温度でも十分に熱交換が可能であるとしてステップＢ７に戻り、水冷式熱交換機２０と地中熱交換機４１０による熱交換が継続される。吐出温度情報ＷＴ２が上限温度ＷＴ２＋ｍａｘ１を超える場合には、現在の冷却水の温度では十分な熱交換が不可能であるとしてステップＢ１１に進む。【００２８】  このため、給水温度情報ＷＴ１が第１の上限温度ＷＴ１＋ｍａｘ１、吐出温度情報ＷＴ２が第１の上限温度ＷＴ２＋ｍａｘ１を超える場合、すなわち、冷却水の温度が第１の上限温度を越えると、熱交換媒体が流れる経路が第１の経路４Ｂへ切換えられる。また、本形態では、給水温度情報ＷＴ１と吐出温度情報ＷＴ２とがそれぞれ、上限温度ＷＴ１＋ｍａｘ１及び所上限温度ＷＴ２＋ｍａｘ１を越えないと、水冷式交換機２０による熱交換媒体の冷却から空冷式熱交換機５による冷却へと切換えないので、切換えのパラメーターとしては上限温度ではなく、第１の上限温度範囲（上限温度ＷＴ１＋ｍａｘ１〜上限温度ＷＴ２＋ｍａｘ１）で判断しても良い。【００２９】  ステップＢ１１において空冷システムが動作されるとステップＢ１２に進み、電磁弁３１が間欠的にオンされる。これは、空冷システム動作時においては、水冷式熱交換機２０や地中熱交換機４１０による熱交換を行わないため、電磁弁３１をオフ状態とすることで消費電力を低減することができる。しかし、空冷システム動作中において電磁弁３１を間欠的にオンして冷却水流路３０を開状態とすると、同流路３０及び水冷式熱交換機２０や地中熱交換機４１０内の冷却水が流通して放熱性が高まり、電磁弁３１を全閉する場合よりも、早期に冷却水の温度の低下させることができるためである。【００３０】  ステップＢ１２では、給水温度センサ３３からの給水温度情報ＷＴ１と第１の下限温度ＷＴ１−ｍａｘ１とが比較される。そして、給水温度情報ＷＴ１が所定加温度ＷＴ１−ｍａｘ１を超えていない（下回らない）場合には、冷却水が十分に放熱されて冷却されていないものとしてステップＢ１１に戻り、空冷システムによる動作が継続されて空冷式熱交換機５による熱交換が継続される。給水温度情報ＷＴ１が下限温度ＷＴ１−ｍａｘ１を超える（下回る）場合にはステップＢ１４に進み、吐出温度センサ３５からの吐出温度情報ＷＴ２と第１の下限温度ＷＴ２−ｍａｘ１とが比較される。そして、吐出温度情報ＷＴ２が下限温度ＷＴ２−ｍａｘ１を超えていない場合には、未だ冷却水が十分に放熱されて冷却されていないものとしてステップＢ１１に戻り、空冷システムによる動作が継続されて空冷式熱交換機５による熱交換が継続される。給水温度情報ＷＴ１が下限温度ＷＴ２−ｍａｘ１を超える（下回る）場合には、冷却水が冷却されて十分に熱交換が可能であるとしてステップＢ７に戻り、水冷システム動作が実行される。このように、冷却水の温度が第１の下限温度を越えると、熱交換媒体が流れる経路が第２の経路４Ａへ切換えられる。【００３１】  図４のステップＡ４において、暖房運転が選択されると、図６の冷房運転処理が開始される。この処理では、ステップＣ１において運転モードの変換がないかが判断される。ここでは、操作部６０の暖房モードが他の運転モードに変更されたか否かが判断され、暖房モードの場合にはステップＣ２に進む。ステップＣ１において運転モードが暖房以外に変更されている場合には、この暖房運転処理を継続しないで、図４のステップＡ２にリターンして再度運転モードの確認が実行される。【００３２】  ステップＣ２では、四方弁２をオンして、経路４を冷房用経路から暖房経路へと切換えてステップＣ３に進む。ステップＣ３では、冷却水を循環させるために、循環ポンプ３８と電磁弁３１をオンして水冷式熱交換機２０と地中熱交換機４１０との間で冷却水を循環させてステップＣ４に進む。この循環ポンプ３８の始動と電磁弁３１の開弁動作によって冷却水経路３０及び水冷式熱交換機２０、地中熱交換機４１０内の冷却水が流れる。ステップＣ４では、給水���度センサ３３と吐出温度センサ３３で検知した水温ＷＴ１、ＷＴ２と表面温度センサ３８で検知した表面温度Ｔ、水圧検知センサ３２及び流量検知センサ３６から水圧ＷＰ及び流量ＷＲの各情報の読込みが行なわれてステップＣ５に進む。ステップＣ５では水圧検知センサ３２からの水圧情報ＷＰと所定圧Ｐとが比較され、水圧情報ＷＰが所定圧Ｐに大きい場合には循環ポンプ３８により熱交換に必要十分な冷却水が供給されているものとしてステップＣ６に進む。ステップＣ６では、流量検知センサ３６からの流量情報ＷＲと所定流量Ｒとが比較され、流量情報ＷＲが所定流量Ｒを越えている場合には、冷却水経路３０や水冷式熱交換機２０や地中熱交換機４１０の破損やスケール付着による流量低減がなく、熱交換に必要な流量が水冷式熱交換機２０に供給されているものとしてステップＣ７に進む。ステップＣ７では、表面温度センサ３９からの表面温度情報Ｔと所定温度Ｔ１とが比較され、表面温度情報Ｔが所定温度Ｔ１よりも低い場合には、水冷式熱交換機２０や地中熱交換機４１０内の詰まりや故障等の異常がないものとしてステップＢ７に水冷式熱交換機２０を用いた冷却を行う水冷システムを動作させる。【００３３】  ステップＣ８の水冷システム動作について、図９のフローチャートを用いて説明する。水冷システム動作では、ファンコイルユニット２００の内機駆動モータ４４がオンされるとともに、熱交換装置３００の電磁弁２２，２３、開閉弁２９、圧縮機５がオン状態とされ、電磁弁２４，２５、開閉弁２８及び駆動モータ１９がオフ状態とされる。但し、四方弁２はオンされているので、暖房運転する場合、熱交換媒体はファンコイルユニット２００の熱交換機４７から停止弁１０Ｂを介して経路４に流入し、図１において破線で示す矢印方向にして、四方弁２から停止弁１０Ａを介して熱交換機４７に戻される。この時、電磁弁２２，２３はオンされて第２の経路４Ａが開放されているので、熱交換媒体は水冷式熱交換機２０へ導入される。また、開閉弁２８はオフ状態、開閉弁２９はオン状態とされるので、第４の経路２７が開放されて使用しない空冷式熱交換機５内の存在する熱交換媒体が、アキュムレータ８の負圧によりアキュムレータ８に回収される。このため、流路４内を循環する熱交換媒体の量が、封入時の量とほぼ同一の量とされて水冷式熱交換機２０へ導入される。導入された熱交換媒体は、水冷式熱交換機２０内の冷却水と間で熱交換されて加熱され、四方弁２、停止弁１０Ａを介してファンコイルユニット２００の熱交換機４７器へと戻される。これによりファンコイルユニット２００からは、回転しているファン４３により温風が室内１０１に吹き出されて、これにより室内温度が上昇する。水冷式熱交換機２０での熱交換時には、駆動モータ１９が停止状態となるので、省エネと、ファン１８の回転に伴い発生する風切り音などの騒音を低減することができる。【００３４】  一方、ステップＣ５において水圧情報ＷＰが所定圧Ｐに満たない場合には、冷却水経路３０または循環ポンプ３８に異常があり、水冷式熱交換機２０に対して十分な冷却水が供給されていないものと判断してステップＣ１１に進み、電磁弁３１をオフして冷却水経路３０を閉じて水冷式熱交換機２０への冷却水の供給を一旦絶ち、ステップＣ１２に進んで空冷式熱交換機５を用いた暖房を行う空冷システムを動作させる。
ステップＣ６において、流量情報ＷＲが所定流量Ｒに満たない場合には、水冷式熱交換機２０内のスケール付着で十分な流量の冷却水が水冷式熱交換機２０内で流れていないものとしてステップＣ１１に進む。そして、電磁弁３１をオフして冷却水経路３０を閉じて水冷式熱交換機２０への冷却水の供給を一旦絶ち、ステップＣ１２に進んで空冷式熱交換機５を用いた暖房を行う空冷システムを動作させる。
ステップＣ７において表面温度情報Ｔが所定温度Ｔ１よりも高い場合には、水冷式熱交換機２０内の詰まりや地中熱交換機４１０による熱交換交換の低下により冷却水温度に異常が発生していると判断してステップＣ１１に進む。そして、電磁弁３１をオフして冷却水経路３０を閉じて水冷式熱交換機２０への冷却水の供給を一旦絶ち、ステップＣ１２に進んで空冷式熱交換機５を用いた暖房を行う空冷システムを動作させる。このように、ステップＣ５からステップＣ７は、水冷式熱交換機２０や地中熱交換機４１０や冷却水供給系に対する異常判定部を構成している。【００３５】  ステップＣ１２の空冷システム動作では、図１０に示すように、ファンコイルユニット２００の内機駆動モータ４４がオンされるとともに、熱交換装置３００の圧縮機６、電磁弁２４，２５、開閉弁２８、駆動モータ１９がオン状態とされ、電磁弁２２，２３と開閉弁２９がオフ状態となる。無論暖房モードであるので、四方弁２はオン状態とされている。このため、流路４Ａは閉じ、第１の流路４Ｂが開放されて経路切換えが行われるとともに第３の経路２６が開放されて使用しない水冷式熱交換機２０内の存在する熱交換媒体がアキュムレータ８の負圧によりアキュムレータ８に回収されるとともにファン１８が回転する。このため、圧縮機６、四方弁２を通過した熱交換媒体は、全て空冷式熱交換機５へ案内され、ファン１８の回転に発生する気流により空気と間で熱交換されて冷却され、膨張弁３を介してファンコイルユニット２００へと戻される。【００３６】  図６のステップＣ８において水冷システムが動作されるとステップＣ９に進み、給水温度センサ３３からの給水温度情報ＷＴ１と第２の下限温度ＷＴ１−ｍａｘ２とが比較される。そして、給水温度情報ＷＴ１が下限温度ＷＴ１−ｍａｘ２を超えていない、すなわち下回っていない場合には、現在の冷却水の温度でも十分に熱交換が可能であるとしてステップＣ８に戻り、水冷システムによる動作が継続されて、水冷式熱交換機２０と地中熱交換機４１０による熱交換が継続される。給水温度情報ＷＴ１が下限温度ＷＴ１−ｍａｘ２を超える（下回った）場合にはステップＣ１０に進み、吐出温度センサ３５からの吐出温度情報ＷＴ２と第２の上限温度ＷＴ２−ｍａｘ２とが比較される。そして、吐出温度情報ＷＴ２が下限温度ＷＴ２−ｍａｘ２を超えていない（下回っていない）場合には、現在の冷却水の温度でも十分に熱交換が可能であるとしてステップＣ８に戻り、水冷式熱交換機２０と地中熱交換機４１０による熱交換が継続される。吐出温度情報ＷＴ２が下限温度ＷＴ２−ｍａｘ２を超える（下回る）場合には、現在の冷却水の温度では十分に熱交換が不可能であるとしてステップＣ１２に進む。【００３７】  このため、給水温度情報ＷＴ１が第２の下限温度ＷＴ１−ｍａｘ２を、吐出温度情報ＷＴ２が第１の下限温度ＷＴ２−ｍａｘ２をそれぞれ下回る場合、すなわち、冷却水の温度が第２の下限温度を越えると、熱交換媒体が流れる経路が第１の経路４Ｂへ切換えられる。また、本形態では、給水温度情報ＷＴ１と吐出温度情報ＷＴ２とがそれぞれ、下限温度ＷＴ１−ｍａｘ２及び下限温度ＷＴ２−ｍａｘ２を越えないと、水冷式交換機２０と地中熱交換機４１０による熱交換媒体の加熱から、空冷式熱交換機５による加熱へと切換えないので、切換えのパラメーターとしては上限温度ではなく、第２の下限温度範囲（下限温度ＷＴ２−ｍａｘ２〜下限温度ＷＴ１−ｍａｘ２）で判断しても良い。【００３８】  ステップＣ１２において空冷システムが動作されるとステップＣ１３に進み、電磁弁３１が間欠的にオンされてステップＣ１４に進む。このため、冷却水流路３０が間欠的に開状態とされるので、同流路３０及び水冷式熱交換機２０と地中熱交換機４１０内の冷却水が流通して吸熱性が高まり、電磁弁３１を全閉する場合よりも、早期に冷却水の温度の上昇させることかできる。【００３９】  ステップＣ１４では、給水温度センサ３３からの給水温度情報ＷＴ１と第２の上限温度ＷＴ１＋ｍａｘ２とが比較される。そして、給水温度情報ＷＴ１が所定温度ＷＴ１＋ｍａｘ２を超えていない（上回らない）場合には、冷却水が十分に吸熱されて加温されていないものとしてステップＣ１２に戻り、空冷システムによる動作が継続されて空冷式熱交換機５による熱交換が継続される。給水温度情報ＷＴ１が上限温度ＷＴ１＋ｍａｘ２を超える（上回る）場合にはステップＣ１５に進み、吐出温度センサ３５からの吐出温度情報ＷＴ２と第２の上限温度ＷＴ２＋ｍａｘ２とが比較される。そして、吐出温度情報ＷＴ２が上限温度ＷＴ２＋ｍａｘ２を超えるまでは、未だ冷却水が十分に吸熱されて加温されていないものとしてステップＣ１２に戻り、空冷システムによる動作が継続されて空冷式熱交換機５による熱交換が継続される。給水温度情報ＷＴ１が上限温度ＷＴ２＋ｍａｘ２を超える（上回る）場合には、冷却水が加温（加熱）されて十分に熱交換が可能であるとしてステップＣ７に戻り、水冷システム動作が実行される。このように、冷却水の温度が第２の下限温度を越えると、熱交換媒体が流れる経路が第２の経路４Ａへ切換えられる。【００４０】  図４のステップＡ６において除湿運転が選択されると、既に説明した図６の冷房／除湿運転処理が開始され、結果として室内１０１の除湿が行われて、湿度を調整することができる。ステップＡ８において遠隔運転が選択されると、ステップＡ９に進んで図７，図８に示す遠隔運転処理が開始される。図７に示す遠隔運転処理は温度調整に関するルーチンで、図８に示す遠隔運転処理は湿度調整に関するものである。【００４１】  図７に示す遠隔運転処理では、ステップＥ１において運転モードの変換がないかが判断され、操作部６０により選択されたモードが遠隔以外の運転モードに変更されていなければステップＥ２に進み、運転モードが遠隔以外に変更されている場合には、この遠隔運転処理を継続しないで、図４のステップＡ２にリターンして再度運転モードの確認が実行される。【００４２】  ステップＥ２では、遠隔端末装置７００からの設定指令の取り込みが実行され、ステップＥ３に進み、設定指令が温度指令の場合には室内温度センサ４０が検知する室内温度と設定指令温度とから室内１０１の温度状態が判断される。そして、設定指令温度よりも室内温度が高い場合にはステップＥ４に進んで図５に示す冷房運転処理が実行され、設定指令温度に室内温度が達していない（低い）場合にはステップＥ５��進んで図６に示す暖房運転処理が実行される。これらステップＥ４またはステップＥ５により冷房と暖房の何れかが実行されると、ステップＥ６に進んで室内温度が設定指令温度になったかが判断される。そして、室内温度と設定指令温度とが同一でなければステップＥ３に戻り、室内の温度状態が判断されて、その判断結果に応じ冷房運転または暖房運転が行われる。このような運転により、室内温度と設定指令温度とが一緒になると、ステップＥ７に進んで各運転処理を終了し、図４ステップＡ２に戻り、運転モードが改めて判断される。【００４３】  図８に示す遠隔運転処理では、ステップＦ１において運転モードの変換がないかが判断され、操作部６０により選択されたモードが遠隔以外の運転モードに変更されていなければステップＦ２に進み、運転モードが遠隔以外に変更されている場合には、この遠隔運転処理を継続しないで、図４のステップＡ２にリターンして再度運転モードの確認が実行される。【００４４】  ステップＦ２では、遠隔端末装置７００からの設定指令の取り込みが実行され、ステップＦ３に進み、設定指令が湿度指令の場合には室内湿度センサ４１が検知する室内湿度と設定指令湿度とから室内１０１の湿度状態が判断される。そして、設定指令湿度よりも室内湿度が高い場合にはステップはＦ４に進んで図５に示す冷房／除湿運転処理が実行され、設定指令湿度に室内湿度が達していない（低い）場合にはステップＦ５に進んで図１１に示す加湿運転処理が実行される。【００４５】  加湿運転処理では、内機駆動モータ４４と加湿器駆動モータ４６だけを駆動する。このため、ファンコイルユニット２００内では、加湿機４５が作動して加湿機４５内の水から水蒸気が発生するとともに、加湿機４５よりも風上に位置しているファン４３が回転して室内１０１に向かって送風される。これにより、水蒸気が室内１０１に送風と一緒に吹き出されて室内湿度が高められる。
ステップＦ４またはステップＦ５により除湿と加湿の何れかが実行されると、ステップはＦ６に進んで室内湿度が設定指令湿度になったかが判断される。そして、室内湿度と設定指令湿度とが同一でなければステップＦ３に戻り、室内の湿度度状態が再び判断されて、その判断結果に応じ除湿運転または加湿運転が行われる。このような運転により、室内湿度と設定指令湿度とが一緒になると、ステップＦ７に進んで各運転処理を終了し、図４ステップＡ２に戻り、運転モードが改めて判断される。【００４６】  本形態の制御手段５０においては、冷却モード時において、冷却水の温度が第１の上限温度（ＷＴ１＋ｍａｘ１、ＷＴ２＋ｍａｘ１）または第１の上限温度範囲（ＷＴ１＋ｍａｘ１〜ＷＴ２＋ｍａｘ１）を超えると、熱交換媒体が流れる経路が第１の経路４Ｂへ切換えられ、熱交換媒体が空冷式熱交換機５に案内され、冷却水の温度が第１の下限温度（ＷＴ１−ｍａｘ１、ＷＴ２−ｍａｘ１）または下限温度範囲ＷＴ１−ｍａｘ１〜ＷＴ２−ｍａｘ１）を超えると熱交換媒体が流れる経路が第２の経路４Ａへ切換えされて熱交換媒体が水冷式熱交換機２０へと案内される。このため、温度条件に応じて適宜、空冷式熱交換機５または水冷式熱交換機２０の何れかに熱交換媒体が案内されて熱交換され、空冷式と水冷式の熱交換機を有する熱交換装置２００を効率良く運転させつつ、何れかの熱交換機が故障した場合でもファンコイルユニット２００を機能させることができる。【００４７】  本形態の制御手段５０においては、暖房モード時において、冷却水の温度が第２の下限温度（ＷＴ１−ｍａｘ２、ＷＴ２−ｍａｘ２）または下限温度範囲（ＷＴ１−ｍａｘ２〜ＷＴ２−ｍａｘ２）を超えると熱交換媒体が流れる経路が第１の経路４Ｂへ切換えられて熱交換媒体が空冷式熱交換機５へ案内され、冷却水の温度が第２の上限温度（ＷＴ１＋ｍａｘ２、ＷＴ２＋ｍａｘ２）または上限温度範囲（ＷＴ２＋ｍａｘ２〜ＷＴ２＋ｍａｘ２）を超える場合には熱交換媒体が流れる経路が第２の経路４Ａへ切換えられて熱交換媒体が水冷式熱交換機２０へ案内される。このため、空冷式と水冷式の熱交換機を有する熱交換装置３００を効率良く運転させつつ、何れかの熱交換機が故障した場合でもファンコイルユニット２００を機能させることができる。【００４８】  本形態の制御手段５０においては、ファンコイルユニット２００への設定温度又は設定湿度を、遠隔端末装置７００から送信された温度設定指令に指定されている温度または湿度に設定すべく、熱交換装置３００の運転状態を制御するので、室内１０１の温度や湿度を、空冷式熱交換機５と水冷式熱交換機２０と地中熱交換機４１０と加湿機４６とにより遠隔端末装置７００からの指令で調整することができる。【００４９】  冷却水の温度は、環境や使用状況により、初期の温度や放熱／吸熱に要する時間にバラツキがあるので、制御手段５０に設定された各上限温度や下限温度を適宜変更することで、水冷システムと空冷システムの動作時間を変更することができる。【００５０】  本形態において、水圧検知センサ３２は給水流路３４に設けて給水圧（導入圧ともいう）を検知しているが、排水流路３７に設けて水冷式熱交換機２０からの吐出圧を冷却水��圧力として検知しても良い。すなわち、冷却水の水圧検知は、主に水冷式熱交換機２０に対して、熱交換でき得るに足りる十分な量の冷却水が供給されているか、変言すると、循環ポンプ３８の故障や給水流路３４や排水流路３７の破損の有無を検知することにも成る。【００５１】  流量検知センサ３６は、排水流路３７の吐出流量を検知しているが、紿水流路３４に設けて水冷式熱交換機２０への給水流量（導入流量とも言う）を検知するようにしても良い。すなわち、冷却水の流量は、主に水冷式熱交換機２０内や地中熱交換機４１０内、給水／排水流路内へのスケール付着による流量低減や、循環ポンプ３８の故障や給水流路３４及び排水流路３７、あるいは熱交換パイプ４０１の破損の有無を検知することに成る。流量検知手段としては流量検知センサ３６ではなく、デジタル方式の流量計３６であっても良い。電磁弁３１は、給水流路３４に設けて、同流路を開閉することで、水冷式熱交換機２０への冷却水の流通を制御しているが、排水流路３７側に設けても同様の機能を果たすことができる。【００５２】  本形態では、冷却水供給系４００として、水冷式熱交換機２０と接続されて冷却水が供給される冷却水経路３４，３７に地中５００内に埋設された熱交換パイプ４０１を接続して循環ポンプ３８で冷却水を循環させているので、水冷式熱交換機２０で熱交換された冷却水が地中５００に埋設された熱交換パイプ４０１中を通過する際に地中との間で熱交換されるため、冷却水における冷房時の放熱効率や暖房時の吸熱効率を高めることができ、省エネに貢献できる。また、冷房時の放熱（排熱）は主に地中５００で行われるので、対大気中に放出される熱量が少なく、ヒートアイランド現象の低減を図ることができる。【００５３】  本形態では、冷却水供給系４００に、地中５００に埋設された熱交換パイプ４０１中を有する地中熱交換機４１０を設備したが、このような形態に限定されるものではない。すなわち、水熱源となる冷却水としては、地下水、水道水、クーリングタワーで用いる水、貯水されている水や工業用水、不凍液等が挙げられる。本形態では冷却水として不凍液を用いているため、冷却水供給系４００は密閉型としたが、冷却水として地下水を用いる場合には、図１３に示すように、地中熱交換機４１０は不要となり、冷却水の供給手段として循環ポンプではなく、汲み上げポンプ３８０を用いればよい。
本形態では、熱交換パイプ４０１を熱交換井４０２の内部に挿入して地中熱交換機４１０を構成しているが、熱交換パイプ４０１を挿入する部材としては、建築で用いる中空状の基礎杭や鋼管杭であってもよい。【００５４】  本形態で用いるファンコイルユニット２００は加湿機４５を備えているが、加湿機４５を備えていない周知のファンコイルユニットであっても、無論構わない。加湿機４５としてはファンコイルユニット２００と一体の形態に限定されるものではなく、ファンコイルユニットと個別に設けて制御手段５０で制御するようにしても良い。ファンコイルユニット２００を設置する施設としては、住宅、建物等の建造物、ビニールハウス等が挙げられる。
【図面の簡単な説明】
【００５５】
【図１】  本発明の一形態である空水冷ハイブリッド空調システムの概略構成図である。
【図２】  本発明の空水冷ハイブリッド空調システムで用いる空調機器と熱交換装置と冷却水供給系の構成図である。
【図３】  空水冷ハイブリッド空調システムの制御手段とこれにつながる構成要素を示すブロック図である。
【図４】  制御手段による基本動作処理の一形態を示すフローチャートである。
【図５】  冷房運転処理の一形態を示すフローチャートである。
【図６】  暖房運転処理の一形態を示すフローチャートである。
【図７】  遠隔運転処理の一形態を示すフローチャートである。
【図８】  遠隔運転処理の別な形態を示すフローチャートである。
【図９】  水冷運転時のシステム動作を示すフローチャートである。
【図１０】  空冷運転時のシステム動作を示すフローチャートである。
【図１１】  加湿運転処理の一形態を示すフローチャートである。
【図１２】  操作部の一形態を示す平面図である。
【図１３】  冷却水供給系が異なる空水冷ハイブリッド空調システムの構成図である。
【符号の説明】
【００５６】  ４    流路
５    空冷式熱交換機
２０    水冷式熱交換機
３０    冷却水経路
３８    循環手段
５０    制御手段
１００    施設
２００    空調機器
３００    熱交換装置
４００    冷却水供給系
４１０    地中熱交換機
５００    地中
７００    遠隔端末装置
【図１】
2006064353.tif 000003
【図２】
2006064353.tif 000004
【図３】
2006064353.tif 000005
【図４】
2006064353.tif 000006
【図５】
2006064353.tif 000007
【図６】
2006064353.tif 000008
【図７】
2006064353.tif 000009
【図８】
2006064353.tif 000010
【図９】
2006064353.tif 000011
【図１０】
2006064353.tif 000012
【図１１】
2006064353.tif 000013
【図１２】
2006064353.tif 000014
【図１３】
2006064353.tif 000015